(57)【要約】 【課題】  陰茎の大きさにコンプレックスを持つ男性が、自信を持って性交渉を行うことができるための装着具を提供することを課題とする。特に、装着が容易で、シンプルな構造で安価に提供できる装着具を提供する。 【解決手段】  陰茎の先端部に装着する柔軟性を有した装着具であって、陰茎の環状溝に装着可能なリング部(1)と、該リング部(1)と連続して設けられ亀頭を被うことができるカバー部(2)とを備え、該カバー部(2)の先端には開孔(3)が設けられている。 【選択図】図２
0003134953.tif 000002
【実用新案登録請求の範囲】
【請求項１】
陰茎の先端部に装着する弾力性を有した装着具であって、
陰茎の環状溝に装着可能なリング部と、
該リング部と連続して設けられ亀頭を被うことができるカバー部とを備え、
該カバー部の先端には開孔が設けられている
ことを特徴とする陰茎装着具。
【請求項２】
前記開孔の外側に袋状の精液溜まりが形成されており、
前記リング部のカバー部と反対の側には柔軟性を有したチューブ状部が形成されている
ことを特徴とする請求項１記載の陰茎装着具。
【請求項３】
前記開孔の周囲にエラストマー製のＯリングが配されている
ことを特徴とする請求項１記載の陰茎装着具。
【考案の詳細な説明】
【技術分野】
【０００１】
本考案は、陰茎の先端部に装着する装着具に関するものである。
【背景技術】
【０００２】
陰茎の大きさには個人差がある。そして、その大きさが小さいことについてコンプレックスを持っている人もいる。また、陰茎の大きさは性交渉の際に女性側への刺激と関係するため、女性が受ける満足感，充実感にも差を生じさせる。ここで、この女性側の感覚は陰茎の長さよりも太さ、特に陰茎の先端部となる亀頭の大きさ（太さ）による影響が大きいと言われている。
【０００３】
男性はパートナーの女性が満足する様子をみて精神的に満たされるという面があり、パートナーを喜ばせることができないとストレスを感じる。そのため、陰茎の大きさにコンプレックスを持つ人は、女性を満足させられないのではないかとの不安や恐れのために自信を持って性交渉に臨むことができない場合が多い。そして、そのことが更にストレスや悩みを助長することとなる。
【０００４】
このような悩みは単なる性交渉における悩みにはとどまらず、自信の損失や、意欲の低下などの原因ともなり、日常生活や仕事にも悪響を及ぼすことがある。更に、悩みが深刻になると鬱状態に至ることもある。
【０００５】
又、コンプレックスから性交渉を避けるようになる人もいる。夫婦間の性交渉はまさに肌と肌のふれあう深いコミュニケーションであり、互いの信頼や愛情を確かめ合う良い機会となっている。その機会が損なわれることにより夫婦間に不調和を生じ、それが発展して別居や離婚など至ることもある。
【０００６】
未婚者についても、陰茎の大きさについてのコンプレックスから恋愛に対して消極的になってしまうことや、更には結婚を躊躇，断念してしまうこともある。このことは未婚化，晩婚化による少子化の一つの原因になるとも考えられる。
【０００７】
又、性交渉による性的刺激は脳を活性化すると共に、精神的な癒し効果が有ることが知られている。このことからも健全な性交渉は健康的に生活する上でも重要であることがわかる。そこで、陰茎の大きさにコンプレックスを持つ人も、そのコンプレックスを小さくして健康的な性交渉ができるようにすることが望まれる。
【０００８】
陰茎の大きさに対するコンプレックスを少なくする手段としては、亀頭の増大手術がある。手術にはいくつかの種類があるが、「埋め込み」タイプの手術は亀頭を切開して直径６〜１２ミリのシリコンボールを複数個埋め込むことにより亀頭を大きくしようとするものである。
【０００９】
又、「注入」タイプの手術は、注射器のような注入装置により亀頭にコラーゲン，ヒアルロン酸，アクアミド、ダーマライブや患者の腹部，臀部から採取した脂肪を注入するものである。
【００１０】
手術はいずれもメスや注入器などを使い陰茎に傷を付けるために恐怖感がある。また、注入される物質によっては、安全性が疑問視されるものがある場合もある。それ以前の問題として、病院に出向いて相談を受けることに恥ずかしさや、心理的な抵抗を感じる人もいる。
【００１１】
手術以外の対策として、陰茎自体を大きくするのではなく用具を使用して一時的，擬似的に陰茎を大きくしたのと同様の効果を得る手段がある。例えば、陰茎全体を被うように被せて陰茎を太く，長く使用する合成樹脂製の大きな陰茎装着具が知られている。しかしながらこのようなタイプの物は玩具的なものがほとんどであり、陰茎の大きさに悩んでいる人に適したものがない。また大きな装着具は目立ち、装着する際にも手間がかかるので、パートナーにあまり意識されることなく、短時間にさりげなく装着することが難しい。
【００１２】
他の用具としては、亀頭に隣接する環状溝に装着して用いる合成樹脂製やゴム製のリングが知られている。リングの外径は亀頭の経よりも大きいので、亀頭が大きくなったのに近い効果が得られる。
【００１３】
しかしながら性交渉時に膣との接触によりリングが陰茎の根本方向に転がり環状溝から外れてしまうことが多い。環状溝から外れにくくするためにはリングの内径を小さくすると共に、リングの材質を固く伸びにくいゴムとすることにより、環状溝を強く締め付けることが考えられる。しかし、リングによる締め付けが強すぎると外れにくくなる反面、その部分に痛みを感じる。また、材質が固くなると陰茎や女性器を傷つけ易くなってしまう。
【００１４】
更に環状溝部分を強く締め付けると、その部分の血管を圧迫し亀頭への血流を妨げることになる。そうなると、亀頭にある細胞の壊死などの問題も生じる。また、締め付けの強いリングは、着脱がしにくく、最悪の場合は取り外し時に爪などで亀頭を傷つけてしまう可能性もある。
【００１５】
その他の方法として薬による治療もあるが、薬への依存症や副作用の恐れがある。又、吸引式の亀頭増大機を使った増大方法も知られてはいるが、効果の程は明確ではなく、期待するほどの効果が得られない場合が多といわれている。
【００１６】
【特許文献１】特開２００５−５２５５７号公報
【考案の開示】
【考案が解決しようとする課題】
【００１７】
そこで本考案は、陰茎の大きさにコンプレックスを持つ男性が、自信を持って性交渉を行うことができるための装着具を提供することを課題とする。特に、装着が容易で、シンプルな構造で安価に提供できる装着具を提供することを課題とする。
【課題を解決するための手段】
【００１８】
請求項１記載の陰茎装着具は、陰茎の先端部に装着する弾力性を有した装着具であって、陰茎の環状溝に装着可能なリング部(1)と、該リング部(1)と連続して設けられ亀頭を被うことができるカバー部(2)とを備え、該カバー部(2)の先端には開孔(3)が設けられていることを特徴とする。
【００１９】
これによればリング部(1)の存在により装着した環状溝部分の外径を大きくし、性交渉時の女性器への刺激を増大させることができる。また、亀頭を被うカバー部(2)の厚みにより亀頭のボリュームを増すことができる。さらに、陰茎を動かしてもリング部(1)と一体となったカバー部(2)がリング部(1)の移動を防止し、リング部(1)を環状溝の位置に保持することができる。射精時にはカバー部(2)先端に設けられた開孔(3)を通して、精液を装着具の外部に放出することができる。
【００２０】
請求項２記載の陰茎装着具は請求項の陰茎装着具において、前記開孔(13)の外側に袋状の精液溜まり(14)が形成されており、前記リング部(11)のカバー部(12)と反対の側には柔軟性を有したチューブ状部(15)が形成されていることを特徴とする。
【００２１】
これによれば、射精により放出された精液を精液溜まり(14)に溜めることができる。また、精液がリング部(11)の陰茎根本方向に漏れたとしてもチューブ状部(15)が有るために精液が外部に漏れることを防止することかできる。これらにより避妊具としての機能を併せ持つことができる。
【００２２】
請求項３記載の陰茎装着具は請求項の陰茎装着具において、前記開孔(3)の周囲にエラストマー製のＯリング(10)が配されていることを特徴とする。
【００２３】
これによれば弾力性のあるＯリング(10)が開孔(3)を開いた状態に保持することができる。そして、開かれた開孔から射精時の精液を確実に外部に放出することができる。又、開孔(3)近傍の補強にもなり、カバー部(2)の肉厚や形状に対する設計の自由度が高くなる。
【考案の効果】
【００２４】
本考案によれば性交渉時に装着具をさりげなく陰茎に装着することができ、陰茎の亀頭及び環状溝部分のサイズを増大することができる。そのため、陰茎の大きさで悩んでいる人が、通院，手術，投薬などをしなくても手軽に利用でき、あまりコンプレックスを感じることなくパートナーとの性交渉を充実させることができる。
【考案を実施するための最良の形態】
【００２５】
以下、本考案を好適な実施例を用いて説明する。
【実施例１】
【００２６】
図１は本実施例の陰茎装着具を示した図であり、図２は本実施例の断面図である。図中において(1)はリング部であり、この部分を陰茎の亀頭近傍の環状溝にはめる。本実施例ではリングの内径は１０mmとした。柔軟性のある材質であるので伸びることにより陰茎の環状溝にフィットさせることができる。
【００２７】
(2)はリング部(1)と繋がっているカバー部であり、この部分が装着時に亀頭を被うことになる。カバー部(2)の外形は鶏卵形，防水形などは利用者の好みを考慮して適宜設計すればよい。カバー部(2)の内側は亀頭がフィットするような形状としている。カバー部(2)も柔軟性のある素材でできているために、利用者の亀頭の形状に少々の差があってもフィットさせることができる。
【００２８】
カバー部(2)の先端にはカバー部(2)を貫通する開孔(3)が設けられている。この開孔(3)は射精時に精液をカバー部(2)から外部に放出すために設けてられている。これにより妊娠を可能としている。また、射出された精液がカバー部(2)内に留まって内圧を高めることや、精液の粘性により装着具が外れやすくなることを防止する働きもある。
【００２９】
本実施例では材質としてシリコンゴムを利用したが、その固さや厚みは利用者の好みや亀頭の大きさなどを考慮して適宜決めればよい。また、リング部(1)とカバー部(2)とは同じ材料を用いて一体成形で制作したが、必要により別々に製作し、その後に溶着，接着等により一体化しても良い。
【００３０】
性交渉の際には、リング部(1)が女性の性器と接触することにより押圧や摩擦により刺激を高めることができる。陰茎を動かしてもカバー部(2)が亀頭を被っているためリング部(1)が陰茎の根本方向に転がっていくことがない。また、環状溝の亀頭側は段差が大きいためリング部(1)が亀頭側に転がっていくこともない。そのため、リング部(1)は環状溝の部分にしっかりと保持されることとなり、従来のリングのように移動してしまうことがない。リング部(1)で環状溝を強く締め付けすぎることもないので痛くなく、亀頭への血流を大きく妨げることもない。利用者は装着具がずれることを心配することなく利用できる。
【００３１】
更に亀頭を被うカバー部(2)の肉厚により、全体として亀頭のボリュームが増え、亀頭増大効果を期待できる。どの程度のボリュームを持たせるかは、設計時にカバー部(2)の形状や厚みを適宜変更することによりにより決めればよい。また、必要によりカバー部(2)の表面に１個又は複数の突起などが設けられたデザインとしても良い。
【００３２】
使用後に洗浄すれば再度使用することができるが、安価にすれば１回事に使い捨てにしても良い。
【実施例２】
【００３３】
図３は本実施例を示した図である。本実施例は実施例１に避妊のための効果を追加したものである。図中においてリング部(11)とカバー部(12)は実施例１と同様であるが、先端の開孔(13)に袋状の精液溜まり(14)が設けられている。精液溜まり(14)の肉厚は０．３mmとした。
【００３４】
又、リング部(11)のカバー部(12)と反対側には、陰茎を根本方向に被うチューブ状部(15)が設けられている。チューブ状部(15)の肉厚も0.3mmとした。(16)はチューブ状部(15)の端部に設けられた鍔であり、ここからリング部(11)方向にチューブ状部(15)を巻き上げることができる。
【００３５】
仮に精液が逆流してリング部(11)側から陰茎の根本側に漏れ出したとしても、リング部(11)から陰茎の根本方向に向かって長いチューブ状部(15)があるために、精液が装着具の外部に漏れてしまうことを防止することができる。精液溜まり(14)やューブ状部(15)も、リング部(11)，カバー部(12)と一体成形しても良いし、別に製作して接着，溶着などにより接合して一体化しても良い。只、精液の漏れなどを配慮すると最初から一体成形で製作することが好ましい。
【実施例３】
【００３６】
図４は本実施例を示した図であり、図５は本実施例を先端部側から見た図である。本実施例は実施例１と略同一の構成であるが、先端部の開孔(3)を取り囲むようにゴム製の「Ｏリング（オーリング）」(10)が配されている点のみが異なる。
【００３７】
カバー部(2)の材質や分厚さによっては使用中に変形して開孔が閉じてしまう可能性がある。特に軟質材料で、肉厚が薄い場合は変形が大きくなる。開孔が閉じてしまうと精液が外部に放出されず、妊娠が期待できなくなる。また、放出された精液がカバー部内に残ると、その粘性やカバー部内の嵩が増えたことによる圧迫により不快感が生じると共に、装着具が陰茎からはずれてしまうおそれもある。
【００３８】
そこで、本実施例では開孔(3)を補強して、使用中でも開孔(3)が変形して閉じてしまわないように周囲にＯリング(10)を配した。Ｏリング(10)の材質としてはゴムなどのエラストマー（ゴム状弾性体）を用いた。
【００３９】
Ｏリング(10)は常にリング形状を保持しようとするため、開孔(3)はＯリング(10)からの力を受けて丸く開いた状態に維持される。また、カバー部(1)の開孔(3)付近を補強し、この部分でカバー部(1)が裂けてしまうことも防止できる。
【００４０】
このように開孔(3)をＯリング(10)により開いた状態に保持可能となるので、カバー部(2)の材料や肉厚の制限が少なくなる。そのため、カバー部(2)のデザインの自由度が向上する。特に先端部の周囲の肉厚を薄くすることにより、亀頭に外部からの刺激が伝わり易くなり、男性も性交時の快感を得られやすくなる。
【産業上の利用可能性】
【００４１】
本考案は、主に陰茎の大きさに悩みを持つ人が使用するのに適したものであるが、それ以外に、精神的なストレスなど起因する勃起不全の人が使用することもできる。
【図面の簡単な説明】
【００４２】
【図１】実施例１を示した図。
【図２】実施例１の断面図。
【図３】実施例２を示した図。
【図４】実施例３を示した図。
【図５】実施例３を先端部側から見た図。
【符号の説明】
【００４３】
１    リング部
２    カバー部
３    開孔
１０    Ｏリング（オーリング）
１４    精液溜まり
１５    チューブ状部
１６    鍔
【図１】
0003134953.tif 000003
【図２】
0003134953.tif 000004
【図３】
0003134953.tif 000005
【図４】
0003134953.tif 000006
【図５】
0003134953.tif 000007